(57)【要約】  機器制御システム（１）は、端末装置（２０）と電気機器である空調機（１０）とを備える。端末装置（２０）と空調機（１０）とは、無線通信ネットワーク（４０）を介して通信可能に接続されている。端末装置（２０）は、空調機（１０）と通信する通信部と、空調機（１０）をユーザの好みの設定状態にするための設定情報を記憶する設定情報記憶ＤＢと、通信部を介して設定情報を空調機（１０）に送信する設定情報送信部と、を備える。予め定めた条件が成立する場合に、設定情報送信手段は、空調機（１０）と異なる電気機器に対しても設定情報を送信する。
2019186993.tif 000002
【特許請求の範囲】
【請求項１】
ユーザによって操作される端末装置であって、
第１の電気機器と通信する通信手段と、
前記第１の電気機器を前記ユーザの好みの設定状態にするための設定情報を記憶する設定情報記憶手段と、
前記通信手段を介して前記設定情報を前記第１の電気機器に送信する設定情報送信手段と、
を備え、
予め定めた条件が成立する場合に、前記設定情報送信手段は、前記第１の電気機器と異なる第２の電気機器に前記設定情報を送信する、
端末装置。
【請求項２】
前記設定情報送信手段は、前記通信手段が前記第１の電気機器と通信可能になった場合に前記設定情報を前記第１の電気機器に送信する、
請求項１に記載の端末装置。
【請求項３】
前記第１の電気機器に対する操作の内容に基づいて前記設定情報を学習し、前記設定情報記憶手段に記憶されている設定情報を更新する学習手段をさらに備える、
請求項１又は２に記載の端末装置。
【請求項４】
前記学習手段は、前記第１の電気機器に対する操作がなされたときの環境情報に基づいて、前記設定情報を学習する、
請求項３に記載の端末装置。
【請求項５】
前記ユーザの生体情報を取得する生体情報取得手段をさらに備え、
前記設定情報送信手段は、前記生体情報取得手段が取得した生体情報に基づいて内容を変更した設定情報を前記第１の電気機器に送信する、
請求項１から４の何れか１項に記載の端末装置。
【請求項６】
前記設定情報送信手段は、予め定めた時間以内に前記設定情報を前記第１の電気機器に送信している場合は、該設定情報の送信を行わない、
請求項１から５の何れか１項に記載の端末装置。
【請求項７】
前記設定情報記憶手段は、設定条件毎に前記設定情報を記憶しており、
前記設定情報送信手段は、設定条件に合致する設定情報を前記第１の電気機器に送信する、
請求項１から６の何れか１項に記載の端末装置。
【請求項８】
前記設定情報送信手段は、前記第１の電気機器のリモコンを介して、前記設定情報を前記第１の電気機器に送信する、
請求項１から７の何れか１項に記載の端末装置。
【請求項９】
前記第１の電気機器は空調機であり、
前記設定情報記憶手段は、前記設定情報として、前記ユーザの好みの設定温度を示す情報を記憶する、
請求項１から８の何れか１項に記載の端末装置。
【請求項１０】
ユーザによって操作される端末装置と、第１の電気機器と、を備える機器制御システムであって、
前記端末装置は、
前記第１の電気機器と通信する通信手段と、
前記第１の電気機器を前記ユーザの好みの設定状態にするための設定情報を記憶する設定情報記憶手段と、
前記通信手段を介して前記設定情報を前記第１の電気機器に送信する設定情報送信手段と、を備え、
前記第１の電気機器は、前記端末装置から受信した前記設定情報に基づいた制御を実行し、
予め定めた条件が成立する場合に、前記設定情報送信手段は、前記第１の電気機器と異なる第２の電気機器に対して前記設定情報を送信する、
機器制御システム。
【請求項１１】
第１の電気機器をユーザの好みの設定状態にするための設定情報を前記第１の電気機器に送信し、
予め定めた条件が成立する場合に、前記第１の電気機器と異なる第２の電気機器に前記設定情報を送信する、
機器制御方法。
【請求項１２】
ユーザによって操作されるコンピュータを、
第１の電気機器と通信する通信手段、
前記第１の電気機器を前記ユーザの好みの設定状態にするための設定情報を記憶する設定情報記憶手段、
前記通信手段を介してユーザの好みの設定状態にするための設定情報を前記第１の電気機器に送信する設定情報送信手段、
として機能させ、
予め定めた条件が成立する場合に、前記設定情報送信手段は、前記第１の電気機器と異なる第２の電気機器に対して前記設定情報を送信する、
プログラム。
【発明の詳細な説明】
【技術分野】
【０００１】
本発明は、端末装置、機器制御システム、機器制御方法及びプログラムに関する。
【背景技術】
【０００２】
リモコンの代わりに携帯電話、スマートフォン、タブレット端末等の端末装置を操作して電気機器を遠隔制御する技術が知られている。また、特許文献１には、携帯電話からユーザの識別情報を認識装置に送信することで、トイレ内に設置されているエアコン及びスピーカをユーザの好みに応じた設定に遠隔制御する発明が記載されている。
【先行技術文献】
【特許文献】
【０００３】
【特許文献１】特開２００２−１７１３５３号公報
【発明の概要】
【発明が解決しようとする課題】
【０００４】
特許文献１に記載されている発明では、遠隔制御される電気機器又は認識装置にユーザの識別情報、電気機器の好みの設定情報等を事前に登録しておく必要がある。そのため、特許文献１に記載されている発明では、ユーザが初めて訪れた場所に設置されている電気機器を好みの設定に遠隔制御することは困難である。また、特許文献１に記載されている発明では、異なる場所に同じ種類の電気機器が設置されているような場合であっても、遠隔制御を可能にするために、電気機器毎に事前の登録作業が必要である。【０００５】
本発明は上記実情に鑑みてなされたものであり、従来よりも容易に、ユーザの好みの設定に電気機器を制御することができる端末装置、機器制御システム、機器制御方法及びプログラムを提供することを目的とする。
【課題を解決するための手段】
【０００６】
上記目的を達成するため、本発明に係る端末装置は、
ユーザによって操作される端末装置であって、
第１の電気機器と通信する通信手段と、
前記第１の電気機器を前記ユーザの好みの設定状態にするための設定情報を記憶する設定情報記憶手段と、
前記通信手段を介して前記設定情報を前記第１の電気機器に送信する設定情報送信手段と、
を備え、
予め定めた条件が成立する場合に、前記設定情報送信手段は、前記第１の電気機器と異なる第２の電気機器に前記設定情報を送信する。
【発明の効果】
【０００７】
本発明によれば、従来よりも容易に、ユーザの好みの設定に電気機器を制御することが可能となる。
【図面の簡単な説明】
【０００８】
【図１】本発明の実施形態に係る機器制御システムの構成を示す図
【図２】本発明の実施形態に係る端末装置の構成を示すブロック図
【図３】本発明の実施形態に係る設定情報記憶ＤＢの構成例を示す図
【図４】本発明の実施形態に係る自動設定処理のフローチャート
【図５】本発明の実施形態に係る機器制御処理のフローチャート
【図６】本発明の効果を説明するための図
【図７】本発明の変形例に係る端末装置の構成を示すブロック図
【図８】本発明の変形例に係る設定情報記憶ＤＢの構成例を示す図
【図９】本発明の変形例に係る機器制御システムの構成例を示す図
【図１０】本発明の変形例に係る機器制御システムの構成例を示す図
【発明を実施するための形態】
【０００９】
以下、本発明の実施形態について、図面を参照しながら詳細に説明する。なお、図中同一または相当部分には同一符号を付す。
【００１０】
本発明の実施形態に係る機器制御システムについて説明する。機器制御システム１は、図１に示すように、住宅１００に設置された電気機器である空調機１０と、端末装置２０と、環境センサ３０とを備える。端末装置２０と空調機１０と環境センサ３０とは、ＷｉＦｉ、ＺｉｇＢｅｅ、赤外線通信等の無線通信ネットワーク４０を介して通信可能に接続されている。
【００１１】
空調機１０は、空調対象空間内（例えば、住宅１００の部屋内）に設置され、冷房運転、暖房運転、除湿運転等をして空調対象空間内を空調する。空調機１０は、本発明の第１の電気機器の一例である。
【００１２】
端末装置２０は、例えば、ユーザによって操作されるスマートフォンである。なお、本実施形態では、端末装置２０を操作するユーザは固定されている。端末装置２０は、図２に示すように、通信部２１と、表示部２２と、操作部２３と、記憶部２４と、制御部２５と、を備える。
【００１３】
通信部２１は、端末装置２０が無線通信ネットワーク４０を介して空調機１０と通信するための通信インタフェースである。通信部２１は、本発明の通信手段の一例である。
【００１４】
表示部２２は、例えば、液晶パネルであり、制御部２５の制御の下、種々の情報を表示する。また、表示部２２は、ユーザが空調機１０を操作するための操作画面を表示する。例えば、操作画面は、空調機を操作するための各ボタンを模した画面である。
【００１５】
操作部２３は、例えば、タッチパネルであり、ユーザからの操作を受け付け、該操作に対応した信号を制御部２５に出力する。例えば、操作部２３は、操作画面上から空調機１０に対する操作する受け付け、該操作に対応した信号を制御部２５に出力する。
【００１６】
記憶部２４は、いわゆる二次記憶装置（補助記憶装置）としての役割を担い、例えば、読み書き可能な不揮発性のフラッシュメモリ、ハードディスクドライブ等である。記憶部２４には、制御部２５が実行するプログラム及び各種のデータが記憶される。また、記憶部２４は、設定情報記憶データベース（ＤＢ）２４１を記憶する。設定情報記憶ＤＢ２４１には、空調機１０をユーザの好みの設定状態にするための設定情報が記憶される。設定情報記憶ＤＢ２４１は、本発明の設定情報記憶手段の一例である。
【００１７】
ここで、設定情報記憶ＤＢ２４１の構成例を図３に示す。設定情報記憶ＤＢ２４１には、設定条件毎に、ユーザの好む空調機の設定情報（冷房設定温度、暖房設定温度）と、学習回数とが記憶されている。設定条件は、季節と外気温度と外気湿度とを組み合わせた条件である。学習回数は、この設定情報を学習した回数を示す。
【００１８】
例えば、図３に示す設定情報記憶ＤＢ２４１から、夏に外気温度が３２℃以上で外気湿度が６８パーセント以上である場合、この端末装置２０のユーザは、冷房設定温度を２９℃にすることを好むことがわかる。なお、図３に示す設定情報記憶ＤＢ２４１では、冬に外気温度が０℃以下で外気湿度が５０パーセント以上である場合の学習回数は０であり、まだ学習がなされていないことから、設定情報は未設定となっている。
【００１９】
図２に戻り、制御部２５は、ＣＰＵ（Central Processing Unit）、オペレーティングシステム等のプログラムを記憶するＲＯＭ（Read Only Memory）、ワークエリアとなるＲＡＭ（Random Access Memory）等を備える。制御部２５は、ＲＯＭに記憶されているプログラムを実行することにより、端末装置２０の全体を制御する。また、制御部２５は、機能的な構成として、設定情報送信部２５１と、学習部２５２と、機器制御部２５３と、を備える。
【００２０】
設定情報送信部２５１は、通信部２１が空調機１０と通信可能になった場合、若しくは、操作部２３が処理開始を示す特定の操作を受け付けた場合に、通信部２１を介して、設定条件に合致した設定情報を空調機１０に送信する。なお、設定情報送信部２５１は、空調機１０と同一のメーカが製造した空調機、空調機１０と制御内容又は機能が共通する電気機器等（第２の電気機器）に対しても設定情報を送信することが可能である。設定情報送信部２５１が実行する処理の詳細については後述する。設定情報送信部２５１は、本発明の設定情報送信手段の一例である。
【００２１】
学習部２５２は、操作部２３が受け付けた空調機１０に対する操作の内容に基づいて、ユーザの好む空調機１０の設定情報を学習し、設定情報記憶ＤＢ２４１に記憶されている設定情報を更新する。学習部２５２が実行する処理の詳細については後述する。学習部２５２は、本発明の学習手段の一例である。
【００２２】
機器制御部２５３は、操作部２３が受け付けた空調機１０に対する操作の内容に基づいた指示信号を空調機１０に送信して空調機１０を制御する。
【００２３】
図１に戻り、環境センサ３０は、住宅１００の外部（屋外）に設けられ、環境情報（外気温度、外気湿度等）を計測し、無線通信ネットワーク４０を介して計測結果を端末装置２０に送信する。
【００２４】
続いて、機器制御システム１の動作について説明する。図４は、端末装置２０によって実行される自動設定処理のフローチャートである。例えば、予め定めた時間（例えば、１分）毎、若しくは、処理を開始するためのユーザの操作を操作部２３が受け付けた場合に、自動設定処理は開始される。
【００２５】
自動設定処理が開始されると、端末装置２０の設定情報送信部２５１は、現在、通信部２１が空調機１０と通信可能であるか否かを判別する（ステップＳ１０１）。例えば、設定情報送信部２５１は、テスト用の信号を空調機１０に向けて送信し、応答の有無を確認することで当該判別を行えばよい。なお、この際、設定情報送信部２５１は、空調機１０と同一のメーカが製造した空調機、空調機１０と制御内容又は機能が共通する電気機器等と通信可能であるか否かを併せて判別してもよい。
【００２６】
通信不可能であると判別した場合（ステップＳ１０１；Ｎｏ）、自動設定処理は終了する。
【００２７】
一方、通信可能であると判別した場合（ステップＳ１０１；Ｙｅｓ）、設定情報送信部２５１は、環境センサ３０から環境情報（外気温度、外気湿度等）を取得する（ステップＳ１０２）。そして、設定情報送信部２５１は、取得した環境情報に基づいて、設定条件に合致する設定情報を設定情報記憶ＤＢ２４１に記憶されている中から特定する（ステップＳ１０３）。
【００２８】
例えば、現在の季節が「夏」であり、取得した環境情報が外気温度「３３℃」、外気湿度「７２パーセント」を示す場合、図３に示す設定情報記憶ＤＢ２４１の季節「夏」、外気温度「３２℃以上」、外気湿度「６８パーセント以上」という設定条件を満たすため、該設定条件に対応する冷房設定温度「２９℃」を示す設定情報が特定される。
【００２９】
図４に戻り、続いて、設定情報送信部２５１は、設定情報を予め定めた時間以内（例えば、３０分以内）に空調機１０に送信しているか否かを判別する（ステップＳ１０４）。設定情報を既に送信している場合（ステップＳ１０４；Ｙｅｓ）、今回の処理で設定情報を再度送信する必要性は低いため、自動設定処理は終了する。
【００３０】
一方、設定情報をまだ送信していない場合（ステップＳ１０４；Ｎｏ）、設定情報送信部２５１は、通信部２１を介して、特定した設定情報を空調機１０に送信する（ステップＳ１０５）。空調機１０は受信した設定情報に基づいた処理を実行する。例えば、空調機１０は、受信した設定情報が示す設定温度で運転する。なお、空調機１０は、競合するより優先度の高い制御を既に行っている場合には、受信した設定情報に基づいた処理を実行しなくてもよい。若しくは、空調機１０は、現在の設定温度と受信した設定情報が示す設定温度とを調整してもよい。例えば、冷房設定温度２８℃で運転している空調機１０が、冷房設定温度２６℃を示す設定情報を受信した場合、空調機１０は、中間の冷房設定温度２７℃で運転してもよい。なお、ステップＳ１０１で空調機１０と同一のメーカが製造した空調機、空調機１０と制御内容又は機能が共通する電気機器等と通信可能であると判別した場合、設定情報送信部２５１は、当該空調機、電気機器等に設定情報を送信してもよい。
【００３１】
設定情報を送信した後、設定情報送信部２５１は、設定情報の送信が完了したことを示す画面を表示部２２に表示させる（ステップＳ１０６）。以上で自動設定処理は終了する。
【００３２】
続いて、端末装置２０によって実行される機器制御処理について、図５のフローチャートを用いて説明する。例えば、ユーザが表示部２２に表示された操作画面上から空調機１０に対する操作を行い、当該操作を操作部２３が受け付けた場合に機器制御処理は開始される。
【００３３】
まず、学習部２５２は、環境センサ３０から外気温度、外気湿度等の環境情報を取得する（ステップＳ２０１）。そして、学習部２５２は、操作部２３が受け付けた操作の内容と取得した環境情報とに基づいて、ユーザの好む空調機１０の設定情報を学習する（ステップＳ２０２）。
【００３４】
ここで、ステップＳ２０２の学習の一例について説明する。まず学習部２５２は、取得した環境情報に基づいて、設定情報記憶ＤＢ２４１の中から合致する設定条件を特定する。そして、学習部２５２は、特定した設定条件に対応付けられている設定情報の値をＴａ、学習回数をＤｔ、受け付けた操作の内容が示す設定情報の値をＴｍとすると、学習後の設定情報の値ＴＬを以下の式により算出する。
ＴＬ＝（Ｔａ＊Ｄｔ＋Ｔｍ）／（Ｄｔ＋１）
【００３５】
なお、上式の学習後の設定情報の値ＴＬは、これまでにユーザが操作した設定温度の平均値を意味する。しかしながら、直近に操作された設定温度に大きい重みを付した加重平均値を設定情報ＴＬとしてもよい。
【００３６】
続いて、学習部２５２は、学習結果に基づいて設定情報記憶ＤＢ２４１を更新する（ステップＳ２０３）。具体的には、学習部２５２は、設定情報記憶ＤＢ２４１に記憶されている設定情報の値Ｔａを学習後の設定情報の値ＴＬに更新するとともに、対応する学習回数を１増加させる。
【００３７】
続いて、機器制御部２５３は、操作部２３が受け付けた操作の内容に応じた制御信号を空調機１０に送信する（ステップＳ２０４）。空調機１０は制御信号に応じた制御を実行する。
【００３８】
続いて、機器制御部２５３は、制御信号の送信が完了したことを示す画面を表示部２２に表示させる（ステップＳ２０５）。なお、当該画面に、設定情報の学習が完了したことを示す画像、メッセージ等を併せて表示してもよい。以上で機器制御処理は終了する。
【００３９】
このように、本実施形態によれば、端末装置２０に、ユーザが好む電気機器（空調機１０）の設定情報が記憶され、電気機器に送信される。そのため、ユーザが初めて訪れた場所に設置されている電気機器に対しても、ユーザの識別情報、好みの設定情報等を電気機器側に登録する必要無しに、直ちに電気機器を自分の好みの設定に制御することが可能となる。よって、本実施形態によれば、従来よりも容易に、ユーザの好みの設定に電気機器を制御することが可能となる。
【００４０】
また、本実施形態によれば、予め定めた条件が成立する場合には、端末装置２０が、空調機１０と異なる他の電気機器に対しても設定情報を送信して、好みの設定に制御することが可能となる。なお、予め定めた条件が成立する場合とは、例えば、他の電気機器が空調機１０と同一メーカの空調機若しくは制御内容又は機能が共通する電気機器であって、当該空調機若しくは電気機器と通信可能な範囲に端末装置２０が位置する場合である。なお、予め定めた条件に合致する電気機器が複数ある場合、端末装置２０は、条件に合致する電気機器それぞれに対して同時に設定情報を送信してもよい。
【００４１】
例えば、図６に示すように、住宅２００の部屋Ａ，Ｂに空調機１０Ａ，１０Ｂ、商業施設３００に空調機１０Ｃが設置されている場合を考える。空調機１０Ａ，１０Ｂ，１０Ｃは、空調機１０と同一のメーカが製造した空調機である。この場合、ユーザは、空調機１０の設定情報が記憶されている端末装置２０を所持して、空調機１０Ａ，１０Ｂ，１０Ｃそれぞれと通信可能な位置に移動するだけで、空調機１０Ａ，１０Ｂ，１０Ｃを好みの設定に制御することが可能となる。
【００４２】
また、本実施形態によれば、端末装置２０の通信部２１が電気機器（空調機１０）と通信可能になったタイミングで、設定情報が電気機器に送信される。そのため、ユーザが意識すること無く、自動的に周囲の電気機器を自分の好みの設定に制御することが可能となる。
【００４３】
また、本実施形態によれば、端末装置２０から空調機１０を操作する場合に、操作の内容に基づいて、ユーザが好む空調機１０の設定情報が学習されて、設定情報記憶ＤＢ２４１が更新される。これにより、最新の操作の内容を反映した設定情報を端末装置２０に記憶させることが可能となる。また、空調機１０に対する操作が行われた際の環境情報（外気温度、外気湿度等）も考慮に入れて学習が行われるため、学習の精度をより向上させることが可能となる。
【００４４】
また、本実施形態によれば、自動設定処理において、予め定めた時間以内に設定情報を空調機１０に送信している場合は設定情報の送信は行われない。これにより、通信負荷を抑えることが可能となる。
【００４５】
また、本実施形態によれば、端末装置２０の設定情報記憶ＤＢ２４１には、設定条件毎に設定情報が記憶され、季節、環境情報等の設定条件に合致する設定情報が空調機１０に送信される。そのため、ユーザの好みに最も合致した最適な設定情報を空調機１０に送信することができる。
【００４６】
（変形例）
なお、本発明は、上記各実施形態に限定されず、本発明の要旨を逸脱しない範囲での種々の変更は勿論可能である。
【００４７】
例えば、図７に示すように、生体情報取得部２６を新たに備えるように端末装置２０を構成してもよい。この場合、端末装置２０は、例えば、腕、手首といったユーザの体の一部に装着されて使用されるウェアラブル端末である。生体情報取得部２６は、ユーザの脈拍、体温等の生体情報を計測するセンサであり、計測結果を制御部２５に出力する。生体情報取得部２６は、本発明の生体情報取得手段の一例である。
【００４８】
そして、この場合、端末装置２０の設定情報送信部２５１は、自動設定処理において、生体情報取得部２６が取得した生体情報に基づいた設定情報を空調機１０に送信する。具体的には、設定情報送信部２５１は、図４に示す自動設定処理のステップＳ１０３で特定した設定情報の内容をユーザの生体情報に応じて変更し、変更後の生体情報を空調機１０に送信してもよい。例えば、ユーザの心拍数が予め定めたしきい値（通常の心拍数）よりも多い場合、若しくはユーザの体温が予め定めたしきい値（平熱）よりも高い場合、特定した設定情報を１℃上昇させた上で空調機１０に送信してもよい。若しくは、図８に示すような、設定条件に生体情報の条件を含めた設定情報記憶ＤＢ２４１を用いて、自動設定処理のステップＳ１０３で、設定条件に合致する設定情報を特定してもよい。
【００４９】
また、上記実施形態では住宅１００に設置された電気機器（空調機１０）を制御する例にして説明したが、空調機１０がビル４００等に設置されており、端末装置２０と直接通信できない場合も考えられる。しかしながら、この場合は、図９に示すように、端末装置２０の通信部２１は、空調機１０のリモコン１０Ｒを介して、設定情報を空調機１０に送信することで、空調機１０を好みの設定状態に制御してもよい。
【００５０】
また、図１０に示すように、インターネット５０を介して端末装置２０に接続されたクラウドサーバ６０を新たに構成してもよい。なお、図１０では、１つの機器制御システム１のみが示されているが、実際には、複数の機器制御システム１の端末装置２０がクラウドサーバ６０に接続されている。クラウドサーバ６０には、ユーザ毎（端末装置２０毎）に、対応する設定情報記憶ＤＢ２４１が記憶されている。そして、クラウドサーバ６０が、端末装置２０からの指示を受けて、端末装置に代わりに上述した自動設定処理及び機器制御処理を実行してもよい。
【００５１】
また、複数ユーザの利用が想定される端末装置２０に対しても本発明は適用可能である。この場合、ユーザ毎に設定情報記憶ＤＢ２４１を記憶部２４に記憶させておく。そして、自動設定処理、若しくは遠隔操作処理の際には、端末装置２０を利用しているユーザをユーザ名、ユーザＩＤ、パスワード等から特定して、特定したユーザ用の設定情報記憶ＤＢ２４１を用いて、各処理を行えばよい。
【００５２】
また、端末装置２０に温度センサ、湿度センサ等が内蔵されており環境情報を取得できる場合は、環境センサ３０を設けなくてもよい。また、設定情報記憶ＤＢ２４１に記憶させる設定条件も種々の条件が採用可能であり、設定条件を季節のみで構成してもよく、この場合も環境センサ３０を設けなくてもよい。
【００５３】
また、本発明は、空調機以外の電気機器、例えば、照明装置、空気清浄機、除湿器、加湿器、炊飯器、電磁調理器、およびこれらを含むシステムにも適用可能である。
【００５４】
また、上記実施形態において、端末装置２０の制御部２５が実行するプログラムを、既存のコンピュータに適用することで、当該コンピュータを本発明に係る制御部２５として機能させることも可能である。
【００５５】
このようなプログラムの配布方法は任意であり、例えば、ＣＤ−ＲＯＭ（Compact Disk Read-Only Memory）、ＤＶＤ（Digital Versatile Disk）、ＭＯ（Magneto Optical Disk）、メモリカード等のコンピュータ読み取り可能な記録媒体に格納して配布してもよいし、インターネット等の通信ネットワークを介して配布してもよい。
【００５６】
本発明は、本発明の広義の精神と範囲を逸脱することなく、様々な実施形態及び変形が可能とされるものである。また、上述した実施形態は、本発明を説明するためのものであり、本発明の範囲を限定するものではない。つまり、本発明の範囲は、実施形態ではなく、請求の範囲によって示される。そして、請求の範囲内及びそれと同等の発明の意義の範囲内で施される様々な変形が、本発明の範囲内とみなされる。
【産業上の利用可能性】
【００５７】
本発明は、ユーザによって操作される端末装置に好適に採用され得る。
【符号の説明】
【００５８】
１  機器制御システム、１０，１０Ａ，１０Ｂ，１０Ｃ  空調機、１０Ｒ  リモコン、２０  端末装置、３０  環境センサ、４０  無線通信ネットワーク、５０  インターネット、６０  クラウドサーバ、２１  通信部、２２  表示部、２３  操作部、２４  記憶部、２４１  設定情報記憶ＤＢ、２５  制御部、２５１  設定情報送信部、２５２  学習部、２５３  機器制御部、２６  生体情報取得部、１００，２００  住宅、３００  商業施設、４００  ビル
【図１】
2019186993.tif 000003
【図２】
2019186993.tif 000004
【図３】
2019186993.tif 000005
【図４】
2019186993.tif 000006
【図５】
2019186993.tif 000007
【図６】
2019186993.tif 000008
【図７】
2019186993.tif 000009
【図８】
2019186993.tif 000010
【図９】
2019186993.tif 000011
【図１０】
2019186993.tif 000012
【手続補正書】
【提出日】令和2年3月26日(2020.3.26)
【手続補正１】
【補正対象書類名】明細書
【補正対象項目名】０００６
【補正方法】変更
【補正の内容】
【０００６】
上記目的を達成するため、本発明に係る端末装置は、
ユーザによって操作される端末装置であって、
第１の電気機器と通信する通信手段と、
前記第１の電気機器を前記ユーザの好みの設定状態にするための設定情報を記憶する設定情報記憶手段と、
前記通信手段を介して前記設定情報を前記第１の電気機器に送信する設定情報送信手段と、
を備え、
前記通信手段が前記第１の電気機器と異なる第２の電気機器と通信可能になり、前記第１の電気機器の機能と前記第２の電気機器の機能とが共通する場合に、前記設定情報送信手段は、前記第２の電気機器に前記設定情報を送信する。
【手続補正２】
【補正対象書類名】特許請求の範囲
【補正対象項目名】全文
【補正方法】変更
【補正の内容】
【特許請求の範囲】
【請求項１】
ユーザによって操作される端末装置であって、
第１の電気機器と通信する通信手段と、
前記第１の電気機器を前記ユーザの好みの設定状態にするための設定情報を記憶する設定情報記憶手段と、
前記通信手段を介して前記設定情報を前記第１の電気機器に送信する設定情報送信手段と、
を備え、
前記通信手段が前記第１の電気機器と異なる第２の電気機器と通信可能になり、前記第１の電気機器の機能と前記第２の電気機器の機能とが共通する場合に、前記設定情報送信手段は、前記第２の電気機器に前記設定情報を送信する、
端末装置。
【請求項２】
前記設定情報送信手段は、前記通信手段が前記第１の電気機器と通信可能になった場合に前記設定情報を前記第１の電気機器に送信する、
請求項１に記載の端末装置。
【請求項３】
前記第１の電気機器に対する操作の内容に基づいて前記設定情報を学習し、前記設定情報記憶手段に記憶されている設定情報を更新する学習手段をさらに備える、
請求項１又は２に記載の端末装置。
【請求項４】
前記学習手段は、前記第１の電気機器に対する操作がなされたときの環境情報に基づいて、前記設定情報を学習する、
請求項３に記載の端末装置。
【請求項５】
前記ユーザの生体情報を取得する生体情報取得手段をさらに備え、
前記設定情報送信手段は、前記生体情報取得手段が取得した生体情報に基づいて内容を変更した設定情報を前記第１の電気機器に送信する、
請求項１から４の何れか１項に記載の端末装置。
【請求項６】
前記設定情報送信手段は、予め定めた時間以内に前記設定情報を前記第１の電気機器に送信している場合は、該設定情報の送信を行わない、
請求項１から５の何れか１項に記載の端末装置。
【請求項７】
前記設定情報記憶手段は、設定条件毎に前記設定情報を記憶しており、
前記設定情報送信手段は、設定条件に合致する設定情報を前記第１の電気機器に送信する、
請求項１から６の何れか１項に記載の端末装置。
【請求項８】
前記設定情報送信手段は、前記第１の電気機器のリモコンを介して、前記設定情報を前記第１の電気機器に送信する、
請求項１から７の何れか１項に記載の端末装置。
【請求項９】
前記第１の電気機器は空調機であり、
前記設定情報記憶手段は、前記設定情報として、前記ユーザの好みの設定温度を示す情報を記憶する、
請求項１から８の何れか１項に記載の端末装置。
【請求項１０】
ユーザによって操作される端末装置と、第１の電気機器と、を備える機器制御システムであって、
前記端末装置は、
前記第１の電気機器と通信する通信手段と、
前記第１の電気機器を前記ユーザの好みの設定状態にするための設定情報を記憶する設定情報記憶手段と、
前記通信手段を介して前記設定情報を前記第１の電気機器に送信する設定情報送信手段と、を備え、
前記第１の電気機器は、前記端末装置から受信した前記設定情報に基づいた制御を実行し、
前記通信手段が前記第１の電気機器と異なる第２の電気機器と通信可能になり、前記第１の電気機器の機能と前記第２の電気機器の機能とが共通する場合に、前記設定情報送信手段は、前記第２の電気機器に対して前記設定情報を送信する、
機器制御システム。
【請求項１１】
第１の電気機器をユーザの好みの設定状態にするための設定情報を前記第１の電気機器に送信し、
前記第１の電気機器と異なる第２の電気機器と通信可能になり、前記第１の電気機器の機能と前記第２の電気機器の機能とが共通する場合に、前記第２の電気機器に前記設定情報を送信する、
機器制御方法。
【請求項１２】
ユーザによって操作されるコンピュータを、
第１の電気機器と通信する通信手段、
前記第１の電気機器を前記ユーザの好みの設定状態にするための設定情報を記憶する設定情報記憶手段、
前記通信手段を介してユーザの好みの設定状態にするための設定情報を前記第１の電気機器に送信する設定情報送信手段、
として機能させ、
前記通信手段が前記第１の電気機器と異なる第２の電気機器と通信可能になり、前記第１の電気機器の機能と前記第２の電気機器の機能とが共通する場合に、前記設定情報送信手段は、前記第２の電気機器に対して前記設定情報を送信する、
プログラム。
【国際調査報告】
2019186993.tif 000013
2019186993.tif 000014
2019186993.tif 000015
2019186993.tif 000016